【手続補正書】
【提出日】平成17年1月27日(2005.1.27)
【手続補正１】
【補正対象書類名】明細書
【補正対象項目名】発明の名称
【補正方法】変更
【補正の内容】
【発明の名称】情報処理装置及び方法、データ通信システム
【手続補正２】
【補正対象書類名】明細書
【補正対象項目名】特許請求の範囲
【補正方法】変更
【補正の内容】
【特許請求の範囲】
【請求項１】
バスと該バスに接続された複数の電子機器とを備える通信ネットワークにおいて、
前記通信ネットワークに接続されている情報処理装置は、
前記バスに接続されている電子機器にアクセスし、前記電子機器の属性情報及び前記電子機器が有するコンテンツの属性情報を取得する第１の取得手段と、
自身の属性情報および自身が所持するコンテンツの属性情報を格納する記憶手段と、
前記バス上の電子機器の要求に応じて、前記記憶手段に格納された前記自身の属性情報を前記バス上の電子機器に送信する第１の送信手段と、
前記第１の取得手段で取得したコンテンツの属性情報を参照し、所定のコンテンツのデータフォーマットが第１のデータフォーマットであると認識したとき、前記記憶手段に格納された自身の属性情報に含まれる自身が変換可能なデータフォーマット情報に基づき、自身によって前記第１のデータフォーマットを第２のデータフォーマットに変換可能かどうかを確認する第１の確認手段と、
前記第１の確認手段により自身によって前記第２のデータフォーマットに変換が可能であると確認した場合には、前記第１のデータフォーマットである前記所定のコンテンツを所持する電子機器に対して前記所定のコンテンツを送信するように指示する第１の指示手段と、
前記第１の指示手段による指示に基づき送信された前記所定のコンテンツを受信する受信手段と、
前記受信手段により受信した前記所定のコンテンツのデータフォーマットである前記第１のデータフォーマットを前記第２のデータフォーマットに変換する変換手段と、
前記変換手段で前記第２のデータフォーマットに変換された前記所定のコンテンツを前記バス上の電子機器に送信する第２の送信手段とを備えることを特徴とする情報処理装置。
【請求項２】
前記取得手段により取得した前記バス上の一の電子機器の属性情報に含まれる前記一の電子機器が受信可能なデータフォーマット情報に基づき、前記一の電子機器が前記第２のデータフォーマットを受信可能であることを確認する第２の確認手段を備えることを特徴とする請求項１記載の情報処理装置。
【請求項３】
前記第１の確認手段により自身によって前記第２のデータフォーマットに変換が可能ではないと確認した場合に、前記取得手段で取得した他の電子機器の属性情報に含まれる前記他の電子機器が変換可能なデータフォーマット情報に基づき、前記第１のデータフォーマットを前記第２のデータフォーマットに変換する機器を確認する第３の確認手段と、
前記第１のデータフォーマットである所定のコンテンツを所持する電子機器に対して前記所定のコンテンツを前記第３の確認手段で確認された機器に送信するように指示する第２の指示手段と、
前記第２の指示手段により前記所定のコンテンツが送信され、受信した前記所定のコンテンツのデータフォーマットを前記第２のデータフォーマットに変換した、前記第３の確認手段で確認された機器に対して、変換後のコンテンツを前記一の電子機器に送信するように指示する第３の指示手段とを備えることを特徴とする請求項２記載の情報処理装置。
【請求項４】
前記第１の確認手段により自身によって前記第２のデータフォーマットに変換が可能ではなく、及び前記第３の確認手段により前記他の複数の電子機器によっても前記第２のデータフォーマットに変換が可能ではないことが確認された場合に、自身及び前記他の複数の電子機器のデータフォーマットを変換する機能を適宜、組み合わせて、前記第１のデータフォーマットを前記第２のデータフォーマットに変換できるかどうかを判断する判断手段と、
前記判断手段により自身及び前記他の複数の電子機器のデータフォーマットを変換する機能を適宜、組み合わせて、前記第２のデータフォーマットに変換できると判断した場合、その組み合わせる電子機器の順番を決定する決定手段と、
前記第１のデータフォーマットである所定のコンテンツを所持する電子機器に対して前記所定のコンテンツを、前記決定手段で決定された順番の最初の電子機器に送信し、その後、前記決定手段で決定された順番にしたがって他の電子機器に対し、変換したコンテンツを順次送信するように指示する第４の指示手段と、
前記第４の指示手段により前記所定のコンテンツが各電子機器に送信され、前記第２のデータフォーマットに変換が完了したときに、前記第２のデータフォーマットに変換されたコンテンツを前記一の電子機器に送信するように指示する第５の指示手段を備えることを特徴とする請求項３記載の情報処理装置。
【請求項５】
バスと該バスに接続された複数の電子機器とを備える通信ネットワークにおいて、
前記バスに接続されている電子機器にアクセスし、前記電子機器の属性情報及び前記電子機器が有するコンテンツの属性情報を取得する第１の取得工程と、
自身の属性情報および自身が所持するコンテンツの属性情報を記憶部に格納する記憶工程と、
前記バス上の電子機器の要求に応じて、前記記憶部に格納された前記自身の属性情報を前記バス上の電子機器に送信する第１の送信工程と、
前記第１の取得工程で取得したコンテンツの属性情報を参照し、所定のコンテンツのデータフォーマットが第１のデータフォーマットであると認識したとき、前記記憶部に格納された自身の属性情報に含まれる自身が変換可能なデータフォーマット情報に基づき、自身によって前記第１のデータフォーマットを第２のデータフォーマットに変換可能かどうかを確認する第１の確認工程と、
前記第１の確認工程により自身によって前記第２のデータフォーマットに変換が可能であると確認した場合には、前記第１のデータフォーマットである前記所定のコンテンツを所持する電子機器に対して前記所定のコンテンツを送信するように指示する第１の指示工程と、
前記第１の指示工程による指示に基づき送信された前記所定のコンテンツを受信する受信工程と、
前記受信工程により受信した前記所定のコンテンツのデータフォーマットである前記第１のデータフォーマットを前記第２のデータフォーマットに変換する変換工程と、
前記変換工程で前記第２のデータフォーマットに変換された前記所定のコンテンツを前記バス上の電子機器に送信する第２の送信工程とを備えることを特徴とする情報処理方法。
【請求項６】
前記取得工程により取得した前記バス上の一の電子機器の属性情報に含まれる前記一の電子機器が受信可能なデータフォーマット情報に基づき、前記一の電子機器が前記第２のデータフォーマットを受信可能であることを確認する第２の確認工程を備えることを特徴とする請求項５記載の情報処理方法。
【請求項７】
前記第１の確認工程により自身によって前記第２のデータフォーマットに変換が可能ではないと確認した場合に、前記取得工程で取得した他の電子機器の属性情報に含まれる前記他の電子機器が変換可能なデータフォーマット情報に基づき、前記第１のデータフォーマットを前記第２のデータフォーマットに変換する機器を確認する第３の確認工程と、
前記第１のデータフォーマットである所定のコンテンツを所持する電子機器に対して前記所定のコンテンツを前記第３の確認工程で確認された機器に送信するように指示する第２の指示工程と、
前記第２の指示工程により前記所定のコンテンツが送信され、受信した前記所定のコンテンツのデータフォーマットを前記第２のデータフォーマットに変換した、前記第３の確認工程で確認された機器に対して、変換後のコンテンツを前記一の電子機器に送信するように指示する第３の指示工程とを備えることを特徴とする請求項５記載の情報処理方法。
【請求項８】
前記第１の確認工程により自身によって前記第２のデータフォーマットに変換が可能ではなく、及び前記第３の確認工程により前記他の複数の電子機器によっても前記第２のデータフォーマットに変換が可能ではないことが確認された場合に、自身及び前記他の複数の電子機器のデータフォーマットを変換する機能を適宜、組み合わせて、前記第１のデータフォーマットを前記第２のデータフォーマットに変換できるかどうかを判断する判断工程と、
前記判断工程により自身及び前記他の複数の電子機器のデータフォーマットを変換する機能を適宜、組み合わせて、前記第２のデータフォーマットに変換できると判断した場合、その組み合わせる電子機器の順番を決定する決定工程と、
前記第１のデータフォーマットである所定のコンテンツを所持する電子機器に対して前記所定のコンテンツを、前記決定工程で決定された順番の最初の電子機器に送信し、その後、前記決定工程で決定された順番にしたがって他の電子機器に対し、変換したコンテンツを順次送信するように指示する第４の指示工程と、
前記第４の指示工程により前記所定のコンテンツが各電子機器に送信され、前記第２のデータフォーマットに変換が完了したときに、前記第２のデータフォーマットに変換されたコンテンツを前記一の電子機器に送信するように指示する第５の指示工程を備えることを特徴とする請求項７記載の情報処理方法。
【請求項９】
バスと該バスに接続された複数の電子機器とを備える通信ネットワークにおいて、情報処理装置を有するデータ通信システムにおいて、
前記情報処理装置は、
前記バスに接続されている電子機器にアクセスし、前記電子機器の属性情報及び前記電子機器が有するコンテンツの属性情報を取得する第１の取得手段と、
自身の属性情報および自身が所持するコンテンツの属性情報を格納する記憶手段と、
前記バス上の電子機器の要求に応じて、前記記憶手段に格納された前記自身の属性情報を前記バス上の電子機器に送信する第１の送信手段と、
前記第１の取得手段で取得したコンテンツの属性情報を参照し、所定のコンテンツのデータフォーマットが第１のデータフォーマットであると認識したとき、前記記憶手段に格納された自身の属性情報に含まれる自身が変換可能なデータフォーマット情報に基づき、自身によって前記第１のデータフォーマットを第２のデータフォーマットに変換可能かどうかを確認する第１の確認手段と、
前記第１の確認手段により自身によって前記第２のデータフォーマットに変換が可能であると確認した場合には、前記第１のデータフォーマットである前記所定のコンテンツを所持する電子機器に対して前記所定のコンテンツを送信するように指示する第１の指示手段と、
前記第１の指示手段による指示に基づき送信された前記所定のコンテンツを受信する受信手段と、
前記受信手段により受信した前記所定のコンテンツのデータフォーマットである前記第１のデータフォーマットを前記第２のデータフォーマットに変換する変換手段と、
前記変換手段で前記第２のデータフォーマットに変換された前記所定のコンテンツを前記バス上の電子機器に送信する第２の送信手段とを備えることを特徴とするデータ通信システム。
【請求項１０】
前記取得手段により取得した前記バス上の一の電子機器の属性情報に含まれる前記一の電子機器が受信可能なデータフォーマット情報に基づき、前記一の電子機器が前記第２のデータフォーマットを受信可能であることを確認する第２の確認手段を備えることを特徴とする請求項９記載のデータ通信システム。
【請求項１１】
前記第１の確認手段により自身によって前記第２のデータフォーマットに変換が可能ではないと確認した場合に、前記取得手段で取得した他の電子機器の属性情報に含まれる前記他の電子機器が変換可能なデータフォーマット情報に基づき、前記第１のデータフォーマットを前記第２のデータフォーマットに変換する機器を確認する第３の確認手段と、
前記第１のデータフォーマットである所定のコンテンツを所持する電子機器に対して前記所定のコンテンツを前記第３の確認手段で確認された機器に送信するように指示する第２の指示手段と、
前記第２の指示手段により前記所定のコンテンツが送信され、受信した前記所定のコンテンツのデータフォーマットを前記第２のデータフォーマットに変換した、前記第３の確認手段で確認された機器に対して、変換後のコンテンツを前記一の電子機器に送信するように指示する第３の指示手段とを備えることを特徴とする請求項１０記載のデータ通信システム。
【請求項１２】
前記第１の確認手段により自身によって前記第２のデータフォーマットに変換が可能ではなく、及び前記第３の確認手段により前記他の複数の電子機器によっても前記第２のデータフォーマットに変換が可能ではないことが確認された場合に、自身及び前記他の複数の電子機器のデータフォーマットを変換する機能を適宜、組み合わせて、前記第１のデータフォーマットを前記第２のデータフォーマットに変換できるかどうかを判断する判断手段と、
前記判断手段により自身及び前記他の複数の電子機器のデータフォーマットを変換する機能を適宜、組み合わせて、前記第２のデータフォーマットに変換できると判断した場合、その組み合わせる電子機器の順番を決定する決定手段と、
前記第１のデータフォーマットである所定のコンテンツを所持する電子機器に対して前記所定のコンテンツを、前記決定手段で決定された順番の最初の電子機器に送信し、その後、前記決定手段で決定された順番にしたがって他の電子機器に対し、変換したコンテンツを順次送信するように指示する第４の指示手段と、
前記第４の指示手段により前記所定のコンテンツが各電子機器に送信され、前記第２のデータフォーマットに変換が完了したときに、前記第２のデータフォーマットに変換されたコンテンツを前記一の電子機器に送信するように指示する第５の指示手段を備えることを特徴とする請求項１１記載のデータ通信システム。
【手続補正３】
【補正対象書類名】明細書
【補正対象項目名】０００８
【補正方法】変更
【補正の内容】
【０００８】
【課題を解決するための手段】
本発明に係る情報処理装置は、バスと該バスに接続された複数の電子機器とを備える通信ネットワークにおいて、前記通信ネットワークに接続されている情報処理装置は、前記バスに接続されている電子機器にアクセスし、前記電子機器の属性情報及び前記電子機器が有するコンテンツの属性情報を取得する第１の取得手段と、自身の属性情報および自身が所持するコンテンツの属性情報を格納する記憶手段と、前記バス上の電子機器の要求に応じて、前記記憶手段に格納された前記自身の属性情報を前記バス上の電子機器に送信する第１の送信手段と、前記第１の取得手段で取得したコンテンツの属性情報を参照し、所定のコンテンツのデータフォーマットが第１のデータフォーマットであると認識したとき、前記記憶手段に格納された自身の属性情報に含まれる自身が変換可能なデータフォーマット情報に基づき、自身によって前記第１のデータフォーマットを第２のデータフォーマットに変換可能かどうかを確認する第１の確認手段と、前記第１の確認手段により自身によって前記第２のデータフォーマットに変換が可能であると確認した場合には、前記第１のデータフォーマットである前記所定のコンテンツを所持する電子機器に対して前記所定のコンテンツを送信するように指示する第１の指示手段と、前記第１の指示手段による指示に基づき送信された前記所定のコンテンツを受信する受信手段と、前記受信手段により受信した前記所定のコンテンツのデータフォーマットである前記第１のデータフォーマットを前記第２のデータフォーマットに変換する変換手段と、前記変換手段で前記第２のデータフォーマットに変換された前記所定のコンテンツを前記バス上の電子機器に送信する第２の送信手段とを備える。
【手続補正４】
【補正対象書類名】明細書
【補正対象項目名】０００９
【補正方法】変更
【補正の内容】
【０００９】
本発明に係る情報処理方法は、バスと該バスに接続された複数の電子機器とを備える通信ネットワークにおいて、前記バスに接続されている電子機器にアクセスし、前記電子機器の属性情報及び前記電子機器が有するコンテンツの属性情報を取得する第１の取得工程と、自身の属性情報および自身が所持するコンテンツの属性情報を記憶部に格納する記憶工程と、前記バス上の電子機器の要求に応じて、前記記憶部に格納された前記自身の属性情報を前記バス上の電子機器に送信する第１の送信工程と、前記第１の取得工程で取得したコンテンツの属性情報を参照し、所定のコンテンツのデータフォーマットが第１のデータフォーマットであると認識したとき、前記記憶部に格納された自身の属性情報に含まれる自身が変換可能なデータフォーマット情報に基づき、自身によって前記第１のデータフォーマットを第２のデータフォーマットに変換可能かどうかを確認する第１の確認工程と、前記第１の確認工程により自身によって前記第２のデータフォーマットに変換が可能であると確認した場合には、前記第１のデータフォーマットである前記所定のコンテンツを所持する電子機器に対して前記所定のコンテンツを送信するように指示する第１の指示工程と、前記第１の指示工程による指示に基づき送信された前記所定のコンテンツを受信する受信工程と、前記受信工程により受信した前記所定のコンテンツのデータフォーマットである前記第１のデータフォーマットを前記第２のデータフォーマットに変換する変換工程と、前記変換工程で前記第２のデータフォーマットに変換された前記所定のコンテンツを前記バス上の電子機器に送信する第２の送信工程とを備える。
また、本発明に係るデータ通信システムは、バスと該バスに接続された複数の電子機器とを備える通信ネットワークにおいて、情報処理装置を有するデータ通信システムにおいて、前記情報処理装置は、前記バスに接続されている電子機器にアクセスし、前記電子機器の属性情報及び前記電子機器が有するコンテンツの属性情報を取得する第１の取得手段と、自身の属性情報および自身が所持するコンテンツの属性情報を格納する記憶手段と、前記バス上の電子機器の要求に応じて、前記記憶手段に格納された前記自身の属性情報を前記バス上の電子機器に送信する第１の送信手段と、前記第１の取得手段で取得したコンテンツの属性情報を参照し、所定のコンテンツのデータフォーマットが第１のデータフォーマットであると認識したとき、前記記憶手段に格納された自身の属性情報に含まれる自身が変換可能なデータフォーマット情報に基づき、自身によって前記第１のデータフォーマットを第２のデータフォーマットに変換可能かどうかを確認する第１の確認手段と、前記第１の確認手段により自身によって前記第２のデータフォーマットに変換が可能であると確認した場合には、前記第１のデータフォーマットである前記所定のコンテンツを所持する電子機器に対して前記所定のコンテンツを送信するように指示する第１の指示手段と、前記第１の指示手段による指示に基づき送信された前記所定のコンテンツを受信する受信手段と、前記受信手段により受信した前記所定のコンテンツのデータフォーマットである前記第１のデータフォーマットを前記第２のデータフォーマットに変換する変換手段と、前記変換手段で前記第２のデータフォーマットに変換された前記所定のコンテンツを前記バス上の電子機器に送信する第２の送信手段とを備える。